(57)【要約】【課題】従来の練習用パターを用いたアドレス時に、両目をラインと平行にセットすることと、その両目をラインの真上にセットするのが困難であった。【解決手段】ヘッド上面４３の中央部に、フェース４４側から後方に拡幅する八の字状の段差部６１を形成する窪み部６０を設け、その窪み部を磁着受部６５ａとしたパター４０ａと、フェース側から後方斜め上方に０度３０分以上５度以内の所定の傾斜角度８５で傾斜した反射鏡２の鏡面３と、磁石１０ａを設けた取付部材５ａと、その取付部材後方に延設し前記反射鏡の後方部を載置保持する保持部材６ａとからなる頭の位置調整器１ａを、前記窪み部に磁着取付でパット練習具７０ａを形成し、前記鏡面上に強磁性体２２を備えた水平器２０ａを着脱自在に設けると、該練習具を用いたアドレス時に所定の傾斜角度となった前記鏡面を介して両目を間接目視可能とすることで、両目をライン７３に平行及びラインの真上にするアドレスを可能とする。【選択図】図１
2011125678.tif 000002
【特許請求の範囲】
【請求項１】
パタ−のヘッド上面又はヘッド背面に取付られ、同パターを用いたアドレス時に、プレーヤー自身の両目の位置状態を間接目視で知ることを可能とする頭の位置調整器であって、上向き鏡面の反射鏡と前記パターへ磁着取付可能とする取付用の磁石を設けた取付部材とを有し、
前記反射鏡は該反射鏡の少なくとも一方の前方部を前記取付部材に装着する構成とし、
前記反射鏡の鏡面は、前記パターのヘッドへの取付時に、前記ヘッドのフェース側となる前記一方の前方端部からヘッド背面側のもう一方の後方端部側に向かって斜め上方に傾斜し、
その前記鏡面の傾斜角度は、前記パターの設計上のライ角の基準線を含み、
かつ設計上のロフト角の基準線に対し直交する平面を水平面としたときに、
当該水平面に対し、０度３０分以上５度以下とすることを特徴とする頭の位置調整器。
【請求項２】
前記取付部材には、後方に向かって保持部材が延設されており、
前記保持部材は、前記反射鏡の全部又は前記反射鏡の後方部を載置保持するものであることを特徴とする請求項１記載の頭の位置調整器。
【請求項３】
前記取付用の磁石近傍の前記取付部材上部又は前記取付用の磁石近傍の前記反射鏡の鏡面上に、強磁性体を設けた水平器を磁着取付可能にしたことを特徴とする請求項１乃至２のいずれかに記載の頭の位置調整器。
【請求項４】
前記反射鏡前方の前記取付部材上部又は前記反射鏡後方の前記保持部材上部に、前記反射鏡に並べて水平器を配設したことを特徴とする請求項１乃至２のいずれかに記載の頭の位置調整器。
【請求項５】
前記保持部材を基準とし、前記反射鏡の鏡面の傾斜角度を調整する角度調整手段を設けたことを特徴とする請求項１乃至４のいずれかに記載の頭の位置調整器。
【請求項６】
前記角度調整手段は、
前記取付部材及び前記保持部材と前記反射鏡との間、又は前記保持部材と前記反射鏡との間に板状のバネと、
前記保持部材に貫設されたねじ孔に螺着され、先端が前記バネと当接するように設けられた押しボルトとを備え、
前記バネの前方側の一端を前記取付部材又は前記保持部材に固着し、前記バネに載置された前記反射鏡の裏面の少なくとも一部を前記バネに取付たことを特徴とする請求項５記載の頭の位置調整器。
【請求項７】
前記角度調整手段は、
前記取付部材又は前記保持部材の上面に配設された第一の強磁性体と、
前記第一の強磁性体に対向する前記反射鏡の裏面に配設された前記第一の強磁性体に磁着又は磁吸可能な第二の強磁性体と、
前記保持部材に貫設されたねじ孔に螺着され、先端が前記反射鏡の裏面の前記第二の強磁性体よりも後方側に当接するように設けられた押しボルトとを備えたことを特徴とする請求項５記載の頭の位置調整器。
【請求項８】
前記角度調整手段は、
前記反射鏡と前記保持材との間に傾斜板を設け、該傾斜板は前記反射鏡の前後方向に勾配を有することを特徴とする請求項５記載の頭の位置調整器。
【請求項９】
前記反射鏡の鏡面に、その鏡面の傾斜方向に仮想の中心線をおき、前記中心線を挟んだ前記取付部材の下端両側面部の内少なくとも一部を、前記取付部材の前方側から後方側に向かって拡幅する形状としたことを特徴とする請求項１乃至８のいずれかに記載の頭の位置調整器。
【請求項１０】
前記取付部材の下面部に一定の厚みを有する係止部材を設け、前記係止部材の前面部は前記取付部材の前方先端部より一定の間隔後方に位置することを特徴とする請求項１乃至８のいずれかに記載の頭の位置調整器。
【請求項１１】
請求項１乃至１０のいずれかの頭の位置調整器と、該頭の位置調整器の前記取付部材の下面部又は前面部を磁着取付可能としたパターとからなるパット練習具。
【請求項１２】
前記頭の位置調整器は請求項９に記載の頭の位置調整器であり、前記パターのヘッド上面に刻設され、前記ヘッドのフェース側からヘッド背面側に向かって少なくとも一部が八の字形状となって拡幅する段差部を備え、該段差部内側に前記頭の位置調整器を取付た時に、前記取付部材の前記下端両側面部と前記段差部とが介接することを特徴とする請求項１１記載のパット練習具。
【請求項１３】
強磁性体からなる板状の磁着座を、前記パターのヘッド上面又はヘッド背面に取付、該磁着座に前記頭の位置調整器を磁着して取付たことを特徴とする請求項１１記載のパット練習具。
【発明の詳細な説明】
【技術分野】
【０００１】  ゴルフクラブのパターのヘッド上部に、反射鏡又は反射鏡と水平器とに取付部を設けてなる頭の位置調整器を磁着して取付、同パターを用いたアドレス時にパターのヘッドの向きと、ボール上方の両目の位置を前記反射鏡の鏡面を介して間接目視可能とする頭の位置調整器と該調整器が備えられたパターのパット練習具に関する。
【背景技術】
【０００２】  従来のパターを用いたアドレス時に、一般的な基本となるボール上方の両目（頭）の位置が前記ボール又はボール近傍の特定の位置の垂直上方にあるか否かと、その両目を結ぶ方向がライン（ボールの転がる方向）と平行か否かとを瞬時に把握することはほとんど困難なものであった。【０００３】  例えば特開２０００−２１０３９７、特開平１０−２４１２５で示すヘッド上に設けられた鏡面は、ボールの転動方向面（像）を間接目視する（映す）鏡面の向きである為、上方の両目がボールの転動方向線に平行か否か又下方のボールに対し両目の位置が前後左右どの位置にあるか把握困難である。【０００４】  また、例えば特開２００６−１１００２９のヘッド上部に設けられた２枚の円鏡の向きはパターの向きに対する基準となるものがなく、パターのロフト角及びライ角を基準とした向きと円鏡の向きとの整合性のとれた調整が困難であり、又円鏡の着脱が困難でパター自体のゲームの使用に不向きな構造である。【０００５】  また、例えば特開昭５９−１３１３７９の図１〜図５において、垂直方向に配置されたパッティング面に相当する前方フランジ前面に対し直角となる眼整合用鏡で上方の眼の位置を間接目視しようとすると、その眼の位置はボールよりかなり後方に位置しないと目視できず、一般的なボール上方とした眼の位置から異なる限定されたものとなる。また、ボール・標的整合用鏡に写る標的経路によりパッティング面を前記標的経路に合わせ易くする効果を持つものと思われるが、両眼を標的経路と平行にすることと、両眼を標的経路の真上にセットするのには不向きであるとともに、パッテング位置が穴４１にピン４２をセットした位置にかぎられると思われる。また、図７の実施例では眼整合用鏡は前記眼整合用鏡と同じ作用であり、ボール・標的整合用鏡は前記ボールよりかなり後方に位置する眼で境界線部に標的経路を合わせるものであり、また、フランジ前面でボールを打つ練習を繰り返すと、パター自体の設計上で求めたボールを打つ打感や反発力の微妙な感覚が違いゲームでのパッティング時に悪影響を与えかねない。【０００６】  また、例えば特開２０００−１８５１２１のフェースの上下方向に対し４５度のミラーはゴルフボールとボール打点目標部及びボールの転がる方向面の像を見るものであり、ヘッドに埋め込まれた水準器とミラーはセパレートされており、水準器の水平度に対しするミラーの３６０度回転方向の整合性のとれた角度調整が困難である為、上方の目の位置が不明確となる。【０００７】  また、例えば特許第２５６６５３５号では、ヘッド上部に設ける反射鏡はその鏡面に映った目標像を上方のプレーヤーの眼に反射させる４５度に傾斜させて設けると、パターのヘッドの向きを所定の水平状態におくことと、プレーヤーの頭を一定の位置の真上におく利点と、反射鏡に映った目標像で目標方向にフェースを合わせ易くする利点があると思われるが、最も重要と思われる両目の方向を目標ラインと平行にセットすることと、下方のボ−ルに対する上方の頭（両目）の位置を把握困難であり、一定のアドレスの姿勢を体得するには不向きと思われる。そして、ヘッドの形状により本装置の取付部の形状を複数の異なるものを用意しなければならないという問題がある。【０００８】  また、例えば特表２００２−５１１７８８のミラーは目標ラインの像を写すものであり、パター心合わせ補助具をパッティングに支障のないフェースに重ならない取付にすると、ミラー後方の照準部材はボール位置から一定間隔離れた後方側に位置することとなり、照準部材を心合わせする目の位置もボール後方に限定される。そして、一定高さからの心合わせは正確な精度を得るのは困難であり、両目を交互に開閉した心合わせをしないと両目を目標ラインに平行とすることができない。また構造が複雑であり実用的でないと考えられる。【０００９】  上記段落（０００４）を除く上記いずれにおいても、鏡面に目標像を写すためにその鏡面の角度を調整（地形面に対し概略４５度〜５０度前後と思われる）することとなるが、地形が平ら（水平）又は下り斜面又は登り斜面等の場合、その地形に合わせ鏡面の角度を調整しないと必要な目標像を鏡面に正しく写すことができにくい。たとえばパター以外のクラブでのアドレスの姿勢では基本的に地面の傾斜に合わせて体を傾ける（左足上がりの傾斜では体を右側に傾ける）がパターにおいては地形にかかわらず直立姿勢を基本とする。したがって調整しないで鏡面に像を写そうとすると、下り傾斜の地形でのパッティングではフェース（鏡面）を打ち出し方向にかぶせ、同じく頭の位置も打ち出し方向にずらさなければ鏡面に写る目標像を間接目視することはできず変則な姿勢となる。よって、様々な地形でのパッティング技術の向上を図る練習では本鏡面の角度調整は面倒で不便なものと思われる。【００１０】
【特許文献１】  特開２０００−２１０３９７
【特許文献２】  特開平１０−２４１２５
【特許文献３】  特開２００６−１１００２９
【特許文献４】  特開昭５９−１３１３７９
【特許文献５】  特開２０００−１８５１２１
【特許文献６】  特許番号第２５６６５３５（特開平７−２９９１８１）
【特許文献７】  特表２００２−５１１７８８
【発明の開示】
【発明が解決しようとする課題】
【００１１】  以上に述べた従来の目標像を写す鏡を用いた練習時のみ、パターを目標方向に合わせ易くする効果を得ると思われるが、鏡を用いないゲーム時にはその効果を得られるとは考えられ難く、パターのアドレス時に、両目（頭）の位置をボール又はボール近傍の特定の位置の上方にセットし、それを把握するのが困難である為、前記両目をラインに平行でラインの真上に素早く正確にセットし、パッティング技術の向上を図る、常に目の位置を一定にした基本的な姿勢を身に付ける効果的な練習ができにくいものであった。【００１２】  本発明は、この様な従来の問題を解決しようとするもので、アドレス時に最も重要と思われる両目をラインと平行にすることと、またその両目をラインの真上におくことと、パターのヘッドの向きを設計上の標準の向きにすることと、本発明の頭の位置調整器をヘッドへワンタッチ着脱自在及び持ち運び容易なシンプルなものにすることと、前記頭の位置調整器が取付られるパターの構造を、性能を損なわないシンプルでパター自体の試合時の使用に支障をきたさない様にすることとを可能にした、頭の位置調整器と、その頭の位置調整器を取付可能にしたパターに前記頭の位置調整器を装着したパターとからなる、パット練習具を提供することを目的とするものである。
【課題を解決するための手段】
【００１３】  上記目的を達成するために本発明の頭の位置調整器とパターは、上端を握り部となす長尺バー体のシャフトの下端に、前面を平坦なフェースと、一定の広さの平坦な上面又は前記フェースと背中合わせの一定の広さの平坦な縦面と、前記フェースにボールを打つ打点となるスイートスポット部を持つブロック状のヘッドで、前記フェースのスイートスポットから最後部のヘッド背面間をヘッド軸とし、前記フェースの長手方向は前記ヘッド軸に直交する向きとしたパターのヘッドにおいて、水平面に前記パターのヘッドを載置した時に、ライ角の基準線を含む前記水平面と前記シャフトとの角度のライ角と、前記水平面に対し直立するロフト角の基準線と、その基準線とフェースとの開き角度のロフト角とを設計上の角度とした時に、前記平坦な上面のヘッド上面又は前記平坦な縦面のヘッド背面に設けられる頭の位置調整器は、前記フェース側の前方から前記ヘッド背面側の後方に向かって斜め上方に傾斜する上向き鏡面の反射鏡と、該反射鏡前方に装着された取付用の磁石を設けたパターのヘッドへの取付手段となる取付部材とからなる構成、及び前記取付部材には後方に向かって延設する前記反射鏡の後方部又は図７で示す前記反射鏡の全部を載置保持（配設）する保持部材を一体構造に設け、また、前記反射鏡は前記保持部材と前記取付部材とで形成する上方開放の器状内に載置保持（配設）し、前記鏡面の傾斜角度は前記水平面に対し、０度３０分以上５度以内のアドレス時に両目を前記鏡面に写し間接目視可能とする所定の傾斜角度で、前記取付部材下面又は前記取付部材前面にヘッド上面又はヘッド背面に磁着取付する為の平坦な磁着取付部を設けた構成で頭の位置調整器を形成している。（図１参照）【００１４】  前記取付部材に備えられた取付用の磁石近傍の前記反射鏡鏡面上に、強磁性体を設けた水平器を磁着取付可能としている。（図１参照）
又別の水平器の取付形態では、前記取付部材の上部（図４〜図７、図１０〜図１５参照）又は前記保持部材の後方上部（図８、図９参照）に、前記反射鏡の傾斜方向でその反射鏡に直列に並べて水平器を配設している。【００１５】  前記反射鏡裏側の前記保持部材を基準として、前記反射鏡の鏡面の傾斜角度を所定の傾斜角度に調整する角度調整手段を設けている。該角度調整手段の実施例では前記反射鏡と前記取付部材及び前記保持部材との間、又は前記反射鏡と前記保持部材との間に、前記反射鏡の前方と後方の一方方向に傾斜した傾斜板を設けた構成としている。（図８、図９参照）【００１６】  また、角度調整手段の変形例では、前記反射鏡と前記取付部材及び前記保持部材との間、又は前記反射鏡と前記保持部材との間に板状のバネと、前記保持部材にねじ孔を設け同ねじ孔に装着して押しボルトを備え、前記バネは、平面上で前方と後方方向に長い長四角板状で、その長四角板状の前方端部に立下り部（基部）を有するＬ字状の形状で、前記反射鏡前方部下側に位置する前記バネの基部下端を、前記取付部材又は前記保持部材に固着し、前記反射鏡は前記バネ上面に載置固着し、前記反射鏡下側（裏側）の中央部よりやや後方寄りに位置する前記押しボルトは、その押しボルトの上端部を前記バネの下面に当接し、前記バネの前方固定部を支点に前記反射鏡を、前記押しボルトで上下に回転可動静止保持自在に傾斜角度を調整する。そして、前記反射鏡の回転時（傾斜角度調整時）と静止時に前記バネが作用する構成としている。（図１０〜図１２参照）【００１７】  また、角度調整手段の変形例では、前記取付部材又は前記保持部材の上面に配設された第一の強磁性体と、前記第一の強磁性体に対抗する前記反射鏡の裏面に配設された前記第一の強磁性体に磁着又は磁吸可能な第二の強磁性体と、前記第一の強磁性体より後方の前記保持部材に貫設されたねじ孔に螺着され、先端が前記反射鏡の裏面に取付けたられた当板に当接するように設けられた押しボルトとを備え、前記２つの強磁性体の内少なくともどちらか一方を磁石とし、該強磁性体を前記反射鏡と前記取付部材又は前記保持部材とにそれぞれ固着し、前記相対する強磁性体の磁着又は吸引接続部を支点に前記反射鏡を、前記押しボルトで上下に回転可動静止保持自在に反射鏡の鏡面の傾斜角度を調整する。（図１３〜図１５参照）【００１８】  前記反射鏡の鏡面に、その鏡面の傾斜方向に仮想中心線をおき、下面に磁着取付け部を有する前記取付部材の下端側面部の内、前記中心線を挟んだ両側面部の少なくとも一部に、頭の位置調整器をヘッド上面の一定の位置に否回転磁着取付する為に、後述する（図２０、図２１参照）パターのヘッド上面に刻設された拡幅形状の段差部に介接止可能となる様に、前記取付部材の前方側から後方側に向かって拡幅する形状部を有している。（図１参照）【００１９】  また、頭の位置調整器をヘッド上面の一定の位置に否回転磁着取付する為に、前記取付部材の変形例では、前記取付部材下面の前方端部から後方の所定の位置に、任意の形状の係止部材（ストッパー）を前記取付部材に一体構造、又は片面に接着（粘着）剤を設けた板状の係止部材を前記取付部材下面に固着貼付又は着脱自在に貼付て設け、��記係止部材はその係止部材の前面部がヘッド背面部又は後述する（図１７参照）ヘッド上面に設けられる前記頭の位置調整器を磁着取付する為の磁着座の背面部に介接係止される。（図５、図１４、図１５参照）【００２０】  上記構成の頭の位置調整器は右及び左利きの両パターに取付可能とする為に、鏡面の中心線方向を挟んで対称とするのが好ましい。そして、上記段落（００１８）で述べた頭の位置調整器をパターのヘッド上面の一定の位置に否回転磁着取付する為にパターのヘッド形状は、ヘッド上面に前記頭の位置調整器の取付部材の一部が介接する段差部を設け、前記段差部の少なくとも一部はフェース側からヘッド背面側に向かって前記ヘッド軸を挟んで対称に拡幅する形状部を有し、前記段差部内側の少なくとも一部又はヘッド自体を前記頭の位置調整器を磁着取付可能とする強磁性体としている。前記段差部はヘッド上面に窪み又は帯状の突起体を設けて形成している。（図１、図２０、図２１参照）【００２１】  また、前記ヘッド上面又は前記フェースと背中合わせのヘッド背面に、前記頭の位置調整器を磁着取付可能とする広さの、片面に粘着剤を設けた板状の磁着座を固着貼付又は着脱自在に貼付て設けている。前記磁着座の貼付は前記ヘッド軸を挟んで対称とするのが好ましい。（図１６〜図１９参照）【００２２】  上記構造のパターのヘッドに上記頭の位置調整器を磁着取付するパット練習具の形態は、前記頭の位置調整器の鏡面の中心線の延長上に前記ヘッドのフェースに位置するスイートスポットをおいた、前記鏡面の中心線が前記ヘッド軸上に重なる取付と、前記頭の位置調整器の前端部がヘッドのフェースから前方に出っ張らないようにするのが好ましい。そして、パット練習具の使用時において、傾斜鏡面を介してプレーヤーが自身の両目を間接目視可能とする最も重要な鏡面の傾斜角度は図２と後述する図２２で示すごとく、アドレス時にボール上方の両目（頭）の位置はプレーヤーの身長及び好みにより個人差があり、鏡面の中央部に向かう複数の傾斜目線角は微妙に異なるものとなる。したがって鏡面の縦幅をコンパクトなものとする為に、鏡面の中央部に向かう前記複数の傾斜目線に直交する鏡面の傾斜角度は０度３０分以上５度以内とする複数のプレーヤーに対応可能な所定の傾斜角度とするのが好ましい。たとえば、後述する図２３で示すごとく異なるアドレスによる鏡面に向かう複数の傾斜目線角を同一にすると、その傾斜目線に直交する鏡面は大きな縦幅の鏡面となる為、実用性を大きく損なう問題が生じることとなる。【００２３】  そこで本発明では、平均的な身長のプレーヤーがアドレス時の最も基本とされる図２で示すボールの真上に両目をセットした状態で、図３で示す傾斜鏡面にやや余裕を持って両目が写る所定の傾斜角度（最も多くのプレーヤーの好みに対応する平均的な角度は２度３０分前後と考えられる）と鏡面の大きさとし、前記身長差による傾斜目線角の違いはそれ程大きなものではなく、一定の傾斜角度で対応可能と思われるがアドレス時に頭の位置がボール上方から左右方向にずれると一定の大きさの傾斜角度の差が生じることとなる。即ち傾斜目線方向が直立（右利きパターではボール右側寄り上方に目が位置）する程傾斜角度は緩やかなものとなり、傾斜目線方向が傾斜（右利きパターではボール左側寄りに目が位置）する程傾斜角度は大きなものとなる。【００２４】  そこで多くのプレーヤーに対応するために、上記段落（００１５）〜（００１７）で述べた図８〜図１５で示す反射鏡の下側（裏側）に角度調整手段を設け、少なくとも０度３０分以上５度以下の範囲内で鏡面の傾斜角度の調整を図るものとしている。前記０度３０分以上５度以下以外の傾斜角度では練習効果を上げる目的から余りにも逸脱した変則なアドレス姿勢となり実用的でないと考えられる。
【発明の効果】
【００２５】  上述した様に本発明の頭の位置調整器とその調整器を取付可能とするパターに前記調整器を装着したパターのパット練習具で、そのパット練習具を用いたアドレスを整える時において、パターのフェースをライン直角に合わせた状態で、ラインと同一方向となる鏡面の中心線上に間接目視で両目をおくことで、パッテング時の基本される両目を結ぶ方向をラインに平行とする、すなわちフェースの長手方向と直角にすることを可能とし、それによりラインに対する方向性が高められることと、そのラインにボールを乗せるイメージを高めるのに役立つものと考えられる。したがって、アドレス時に両目をラインと平行とすることを身に付ける為には、実質的には顔の向きで覚えるのが感覚的に分かり易く、前記鏡面を介した両目含む顔の一部の間接目視で、その顔の向きを常に一定にした練習を容易に行うことが可能となり、顔の向きを安定させることでパッテング技術の向上を図る大きな効果が得られるものとなる。【００２６】  また、反射鏡の前方又は後方に固着又は反射鏡の鏡面上に磁着して水平器を設けると、パターの前後の向き（ライ角）を所定の設計上の向きにセット可能とし、それにより前記鏡面の中心線上に両目を写すことで、アドレス時に最も基本となるラインの真上に両目をセットできるものとなる。そして、全方位の水平器にするとフェースのロフト角を所定の設計上の向きにセットすることと、反射鏡の鏡面の向きを全方位に渡って所定の向きに正確にセットすることができる。【００２７】  前記水平器を鏡面上に磁着取付にすると、頭の位置調整器をシンプルなものとすることと、練習中において水平器の使用と不使用が容易となる為、その使用時と不使用時のパタ−のヘッドの向きと顔の向きの感覚的な違いを即座に感じ取ることを可能とし、そのを違いを少なくする目的を持った練習ができる。【００２８】  角度調整手段を設けることで、既存のパターの活用が容易となる。すなわち、該パターのロフト角に対するヘッド上面の平面度又はヘッド背面の直立度が異なる場合において、鏡面を所定の傾斜角度又はプレーヤーの好みに合った傾斜角度にすることを可能とする。そして、貼着タイプの磁着座をパターに設けると、強磁性体以外の材質からなるパターのヘッドへの取付を可能とし、異なる形状の多くのパターに対応できる。【００２９】  頭の位置調整器の取付部材下面に係止部材を設けることで、ヘッド上面への頭の位置調整器の取付の位置決めと、パッティング時の衝撃で頭の位置調整器が前方に移動しようとするのを防ぎ、使用時の取付の安定を図るものとなっている。そして、スライドタイプ又は貼付タイプの係止部材にすると、頭の位置調整器への前記係止部材の取付位置の調整が可能となり、ヘッド上面の奥行き幅又はヘッド上面に設ける磁着座の奥行き幅が異なるパターにおいて、そのパターの所定の位置への取付対応が可能となる。【００３０】  頭の位置調整器の取付部材下端側面に拡幅部を形成することと、ヘッド上面に前記拡幅形状の側面が介接するフェース側から後方に向かって拡幅する形状部を有する段差部を設けたパターにすることで、段差部の広いヘッド後方から段差部内側に頭の位置調整器を挿入するワンタッチ磁着取付を可能とし、更にパッティング時の衝撃で頭の位置調整器が前方に移動しようとするのを段差部に設けられている前方に向かって狭くなる形状部で受け止め使用時の取付の安定を図ることができる。【００３１】  上記のごとく頭の位置調整器とそれをを磁着取付可能とするするパターは、いずれも簡単でシンプルな製造容易な構造であり、その為頭の位置調整器は衣服のポケット等に収納持ち運び便利なものとなっている。また、パターのヘッド形状においても外観や性能に支障をきたさず、頭の位置調整器を外した場合では、本発明のパター自体のゲーム時の使用に何ら障害とならないものとしている。
【発明を実施するための最良の形態】
【００３２】  以下、本発明の頭の位置調整器と同調整器が装着可能な右利きと左利きの内、本発明の実施例では右利きパターを用いた場合で、そのパターに前記頭の位置調整器を装着したパット練習具の実施の形態を図１〜図２３に基づいて説明する。【００３３】  まず、本発明の頭の位置調整器１ａを、本発明の構成のパター４０ａに装着したパット練習具７０ａの実施例を示す図１の内、（Ａ）は全体斜視図を示し、（Ｂ）はその縦断面図を示し、（Ｃ）は一部平面断面図を示す。
実施例のパター４０ａは、前面を平坦な横長四角形状のフェース４４とそのフェース後方のヘッド背面４５ａ間の内、最上面に一定の広さの平坦なヘッド上面４３を持つブロック状のヘッド４１ａと、そのヘッドの上面端部から上方に伸延したシャフト４２を備え、前記ヘッドのフェース４４に位置するボールを打つ打点となるスイ−トスポット４８と、そのスイートスポットからヘッド背面４５ａ間に平面上で前記フェース長手方向と直交するヘッド重心方向をヘッド軸４７とし、そのヘッド軸上のヘッド上面４３に前記頭の位置調整器１ａの取付手段となる窪み部６０と、その窪み部とヘッド上面との境に形成される段差部６１は、前記ヘッド軸４７を挟んで対称に前方のフェース側から後方のヘッド背面４５ｂ側に向かって八の字状に拡幅し、前記窪み部を強磁性体からなる磁着受部６５ａとしている。【００３４】  前記実施例の頭の位置調整器１ａは、一方の前方端部からもう一方の後方端部間に渡って斜め上方に傾斜した上向き鏡面の反射鏡２と、その反射鏡の前方下側に装着され該反射鏡の前方の保持とパターへの取付部を有する取付部材５ａと、その取付部材内にパターへの磁着取付用の磁石１０ａを設け、前記取付部材後方に延設し前記反射鏡の後方部を載置貼着保持する保持部材６ａとを備え、前記鏡面にその鏡面の傾斜方向に仮想の中心線４をおき、その中心線を挟んだ前記取付部材下端の両側面部７の一部に、前方側から後方に向かって八の字状に拡幅する拡幅部８を設け、同取付部材下面を平坦な形状とし、その下面の前方部を磁力を持つ磁着取付部１１ａとしている。【００３５】  そして、前記頭の位置調整器１ａを前記パター４０ａのヘッド４１ａ上部へ取付たパット練習具７０ａの形態を説明すると、前記窪み部６０に設けられている磁着受け部６５ａに頭の位置調整器の取付部材５ａ下面の磁着取付部１１ａを磁着取付することと、前記取付部材５ａ下端の側面部７の拡幅部８の一部とヘッドの前記段差部６１とを嵌め合い状態に介接させることと、前記ヘッド上部の頭の位置調整器は前記鏡面の中心線４の延長上にフェースのスイートスポット４８が位置し、前記中心線４方向（鏡面の傾斜方向）は前記フェース長手方向に直交する前記ヘッド軸４７に重なる形態で、前記取付部材５ａの前面部９が平面上で前記フェース４４上端長手方向と同一線上に重なるように、頭の位置調整器１ａをヘッド上面に着脱自在及び否回転磁着取付でパット練習具７０ａを形成している。そして、パッティング時の衝撃で頭の位置調整器が矢印７６（打ち出し）方向に移動しようとするのを、ヘッドのフェース側に狭くなる形状部でしっかりと受け止めるものとしている。【００３６】  そして、前記パター４０ａのヘッド底面４６を水平面（水平な地面）７２にぴったりと着けて載置した時のパターのライ角７１（ライ角の基準線７２ａを含む前記水平面とシャフト４２との角度）とロフト角４９（前記水平面に対し直立するロフト角の基準線５０とフェース４４との開き角度）とを設計上の角度にした状態において、前記反射鏡２の鏡面３の傾斜角度を、前記水平面７２に対して、０度３０分以上５度以下の所定の傾斜角度８５としている。【００３７】  そして、下側に強磁性体２２を設けた座２１を具���する円柱気泡管タイプの水平器２０ａを、その水平器の長手（軸）方向を前記反射鏡２の鏡面３の中心線４に直交するように、前記取付部材内に設けられた磁石１０ａに吸引して前記反射鏡２の前方鏡面３上に、磁着取付している。そして、前記鏡面は両目がやや余裕をもって写る大きさとしている。【００３８】  図２は、図１で示す実施例のパット練習具７０ａを用いたアドレス７５で、そのアドレス時に反射鏡の鏡面３を介して両目を間接目視する実施例の正面図を示し、図３は図２のＸ１−Ｘ１線の平面図で反射鏡の鏡面に両目を写した実施例を示す。
図２のアドレスは、図３で示すフェース４４をライン７３直角に合わせ水平器２０ａの軸（ライン直角）方向を水平零度にし、左目７７ａと右目７７ｂの中心直立目線８０上（即ち左右の目の中心真下）にボール７４を置いたアドレスで、前記ボール後方に位置する鏡面３の中央部に向かう左右の目の中心傾斜目線８１と、その中心傾斜目線に直交する鏡面の傾斜角度は０度３０分以上５度以内の所定の傾斜角度８５であり、前記鏡面３に両目を写す間接目視で、ボール上方の目の位置状態を把握するものとしている。たとえば鏡面の中心線４上に両目を配置すると（写すと）、アドレス時の両目はライン７３の真上でラインと平行に位置していることとなる。【００３９】  図４は、図１の変形例のパット練習具７０ｂの平面図を示し、図５は図４の縦断面図を示す。
反射鏡２の前方下側に装着された取付部材５ｂの前方上部に前記反射鏡に並べて円柱気泡管タイプの水平器２０ｂと、その水平器下側に取付用の磁石１０ａとを設け、前記取付部材後方に延設し前記反射鏡の後方部を貼着載置保持する保持部材６ｂを備え、前記取付部材の平坦な下面部の内、前方部を磁力を持つ磁着取付部１１ｂとし、前記下面部の後方部に板状の係止部材１５を設けて頭の位置調整器１ｂを形成している。そして、前記頭の位置調整器を少なくとも強磁性体の材質からなるヘッド上面の平坦な磁着受け部６５ｂに磁着取付する。その磁着取付時に、前記係止部材の係止面となる前面部１６がヘッド背面４５ｂに介接し、パッティング時の衝撃で頭の位置調整器が打ち出し方向に移動しようとするのを防ぐ。前記ヘッド背面４５ｂに介接する前記前面部１６の位置をヘッド上面の奥行き幅１７と同一とすると、前記取付部材５ｂの前面部９は、前記フェース４４上端辺と平面上で同一となり好ましい取付け方となる。。前記係止部材を固着又は着脱自在に貼着して設けると、ヘッド上面の奥行き幅１７が異なる場合に対応容易となる。そして、パター４０に前記頭の位置調整器１ｂを取付けた前記反射鏡２の鏡面３の傾斜角度は、アドレス時に両目を間接目視可能とする前記水平面７２に対し所定の傾斜角度８５とする。【００４０】  図６は図４の変形例のパット練習具７０ｃの平面図を示し、図７は図６の縦断面図を示す。
取付部材５ｃの上部に円柱気泡管タイプの水平器２０ｂと、その水平器の前方部に取付用の磁石１０ｂと、前記取付部材後方に延設し反射鏡２を載置保持する保持部材６ｃとを備え、前記反射鏡２の裏面を前記保持部材上面に貼着し、前記取付部材５ｃの前面部を磁着取付部１２として頭の位置調整器１ｃを形成し、その頭の位置調整器の前記磁着取付部を強磁性体からなるヘッド背面４５ｃの平坦な磁着受け部６５ｃに磁着している。そして、パター４０に前記頭の位置調整器１ｃを取付けた前記反射鏡２の鏡面３の傾斜角度は、アドレス時に両目を間接目視可能とする前記水平面７２に対し所定の傾斜角度８５とする。【００４１】  図８は図６の変形例のパット練習具７０ｄの平面図を示し、図９は図８の縦断面図を示す。
前方部に取付用の磁石１０ｂを設けた取付部材５ｄと、その取付部材後方に延設し反射鏡２と円柱気泡管タイプの水平器２０ｂとを並べて載置保持する保持部材６ｄとを備え、前記反射鏡２と前記保持部材との上下間に、角度調整手段となる前記フェース４４側の前方から前記フェース後方に傾斜した傾斜板３０を設け、、その傾斜方向を鏡面３の中心線４と同一方向とし、同傾斜板の下面と上面とを保持部材と前記反射鏡とに貼着し、前記取付部材５ｄの前面部を磁着取付部１２として頭の位置調整器１ｄを形成し、その頭の位置調整器の前記磁着取付部を強磁性体からなるヘッド背面４５ｃの平坦な磁着受け部６５ｃに磁着している。そして、パター４０に前記頭の位置調整器１ｄを取付けた前記反射鏡２の鏡面３の傾斜角度は、前記水平器の前記鏡面の中心線と直交する方向を水平零度とし、前記水平面７２に直立するロフト角の基準線５０に対しフェースを設計上のロフト角４９とした時に、前記傾斜板の傾斜角の範囲で角度調整８６ａを行い、アドレス時に両目を間接目視可能とする前記水平面７２に対し所定の傾斜角度８５に調整可能とする。【００４２】  変形例の頭の位置調整器１ｅを示し、図１０は図８で示す頭の位置調整器の変形例の平面図を示し、図１１は図１０の縦断面図を示し、図１２は図１１の変形例の角度調整例を示す。
取付部材５ｅの上部に円柱気泡管タイプの水平器２０ｂと、その水平器の前方部に取付用の磁石１０ｂと、前記水平器後方に後述する板状のバネ３１の前方部とを取付、前記取付部材後方に延設し前記バネの後方部を保持する保持部材６ｅを備え、前記バネの上面に貼着して反射鏡２を載置保持し、前記保持部材に対する前記反射鏡鏡面の角度調整手段は、前記反射鏡と前記取付部材及び前記保持部材との間に設けた前記板状のバネと、前記保持部材に貫設されたねじ孔３４に螺着し、先端が前記バネの下面に当接するように押しボルト３５を備え、前記バネにはそのバネ前方部を下向きに折り曲げてなる基部３２を有し、その基部を前記取付部材の後方部に埋め込んで取付、前記基部を支点に前記押しボルト３５の上下動で前記反射鏡２の鏡面３の傾斜を前記保持部材に対し角度調整８６ｂし、ヘッドへの取付時に水平面７２に対し所定の傾斜角度８５に調整可能とする。前記取付部材の前面をヘッド背面に取付る為の磁着取付部１２とし、又は前記取付部材の下面の前方部をヘッド上面に取付る為の磁着取付部１３としている。【００４３】  変形例の頭の位置調整器１ｆを示し、図１３は図１０で示す頭の位置調整器の変形例の平面図を示し、図１４は図１３の縦断面図を示し、図１５は図１４の変形例の角度調整例を示す。
反射鏡２の前方下側に装着された取付部材５ｆの前方上部に前記反射鏡に並べて円柱気泡管タイプの水平器２０ｂと、その水平器下側に取付用の磁石１０ａとを設け、前記取付部材後方に延設し前記反射鏡の後方部を載置保持する保持部材６ｆとを備え、そして、前記反射鏡鏡面の角度調整手段は、前記取付部材後方の上面に配設された第一の強磁性体３６と、その強磁性体３６に対向する前記反射鏡の裏面に配設された前記第一の強磁性に吸引可能な第二の強磁性３７と、前記保持部材に貫設されたねじ孔３４に螺着し、先端が前記反射鏡の裏面に設けられた当板３８に当接するように押しボルト３５を備えてなり、前記押しボルトを上下に可動させることで前記反射鏡の鏡面３を前記保持部材に対し角度調整８６ｃを行い、ヘッドへの取付時に水平面７２に対し所定の傾斜角度８５に調整可能とする。前記取付部材の平坦な下面部の内、前方部を磁力を持つ磁着取付部１１ａとし、前記下面部の磁着取付部１１ａの後方部に板状の係止部材１５を設けて頭の位置調整器１ｆを形成している。前記係止部材を取付調整可能な貼着取付にすると、図５で示す様にヘッド上面の奥行き幅１７又は後述する図１６、図１７で示す磁着座６３ａの奥行き幅１７ａが異なるパターの場合、そのパターの所定の位置への取付が容易となる。【００４４】  図１６、図１７の内図１６は平坦なヘッド上面４３に磁着座６３ａを取付け、その磁着座に想像線で示す頭の位置調整器１ｂを磁着した平面図を示し、図１７は図１６の縦断面図を示す。
ヘッド上面に一定の広さの平坦面を有し、そのヘッド上面４３の奥行き幅と同一かやや小さい奥行き幅１７ａの板状四角形状の磁着座６３ａを、ヘッド軸４７を挟んで対称に前記ヘッド上面に取付け、強磁性体からなる前記磁着座に頭の位置調整器１ｂ下面の磁着取付部１１ｂを磁着し、頭の位置調整器の前面部９が平面上でフェース４４上端長手方向と同一線上に重なるように前記磁着座の背面部６４に係止部材１５の前面部１６を介接させている。前記係止部材の厚みは前記磁着座の厚みと同一かやや薄い厚みにすると、ヘッド上面の奥行き幅に制約されることなく磁着座に確実に介接させることが可能となる。そして、前記磁着座はヘッド上面に一定の強さで固着可能に貼着又は着脱自在に貼着すると、異なる形状の既存のパターへの取付が容易となる。【００４５】  図１８、図１９の内図１８はヘッド背面４５ｃに磁着座６３ｂを取付け、その磁着座に想像線で示す頭の位置調整器１ｃを磁着した平面図を示し、図１９は図１８の縦断面図を示す。
一定の広さを有する平坦なヘッド背面４５ｃに，板状四角形状の強磁性体からなる磁着座６３ｂをヘッド軸４７を挟んで対称に取付け、その磁着座に頭の位置調整器１ｃの前面の磁着取付部１２を磁着する。前記磁着座はヘッド背面に一定の強さで固着可能に貼着又は着脱自在に貼着すると、一定の広さのヘッド背面を有する異なる形状の既存のパターへの取付が容易となる。【００４６】  図２０、図２１は頭の位置調整器を否回転磁着取付する為の取付け手段となる、パターのヘッド上面形状の実施例の平面図と縦断面図を示す。
パター４０ａのヘッド４１ａは、そのヘッドのフェース４４に位置するボールを打つ打点となるスイートスポット４８と、そのスイートスポットからヘッド背面４５ｂ間に、フェース４４長手方向に直交するヘッド軸４７をおき、そのヘッド軸上のヘッド上面４３のフェースからヘッド背面４５ｂ間に磁着受け部６５ａとなる平坦な窪み部６０を刻設し、前記ヘッドが否強磁性体の材質からなる場合においては、前記窪み部内に任意の形状の強磁性体６２を埋め込んで設け、前記窪み部とヘッド上面との境部に形成する段差部６１は、前記ヘッド軸を挟んで対称にフェース側から後方のヘッド背面側に向かって八の字状に拡幅する形状からなる。【００４７】  図２２、図２３は、アドレス時のボール上方の目（頭）の位置がプレーヤーの好みにより異なる複数例と、その複数例による斜め後方に向かう傾斜目線に直交する反射鏡の鏡面３の傾斜角度を決める概念を示す略図である。
図２２は、プレーヤーの身長差及びボールに対する左右方向に異なるアドレスで、そのアドレス時の目の位置の個人差により生じる複数の両目の中心目線の目線先を、鏡面３の縦幅８２ａの中央部にした中心傾斜目線８３ａ，８３ｂ，８３ｃ，８３ｄ方向と、その中心傾斜目線に直交する鏡面とした所定の傾斜角度８５ａ，８５ｂ，８５ｃ，８５ｄにすると、両目がやや余裕を持つて写る状態において、コンパクトな鏡面の大きさにすることを可能とし、その中心傾斜目線方向に直交する反射鏡の鏡面の角度は、本実施例では実用的な傾斜角度調整範囲８８となる０度３０分以上５度以内の傾斜角度とし、前記傾斜角度調整範囲外の鏡面の傾きでは、アドレス姿勢が極端に変則なものとなり、本発明の効果が得られにくいものとなる。そして、図２３で示す異なるアドレスによる複数の斜め後方に向かう各中心傾斜目線８４の方向を同一にする反射鏡の鏡面３の傾斜角度８７では、鏡面の縦幅８２ｂが大きなものとなり実用的でないと考えられる。
【図面の簡単な説明】
【００４８】
【図１】本発明のパット練習具を示し、（Ａ）はその全体斜視図（Ｂ）は要部縦断面図（Ｃ）はその要部平面断面図
【図２】図１のパット練習具を用いたアドレス時の実施例の正面図
【図３】図２のＸ１−Ｘ１線の平面図
【図４】図１の変形例を示す平面図
【図５】図４のＸ２−Ｘ２線の縦断面図
【図６】図４の変形例を示す平面図
【図７】図６のＸ３−Ｘ３線の縦断面図
【図８】図６の変形例を示す平面図
【図９】図８のＸ４−Ｘ４線の縦断面図
【図１０】頭の位置調整器の変形例を示す平面図
【図１１】図１０のＸ５−Ｘ５線の縦断面図
【図１２】図１１の鏡面の向きの変形例を示す断面図
【図１３】図１０変形例を示す断面図
【図１４】図１３のＸ６−Ｘ６線の縦断面図
【図１５】図１４の鏡面の向きの変形例を示す縦断面図
【図１６】パターのヘッド形状の実施例を示す平面図
【図１７】図１６のＸ７−Ｘ７線の縦断面図
【図１８】図１６の変形例を示す一部断面の平面図
【図１９】図１８のＸ８−Ｘ８線の縦断面図
【図２０】パターのヘッド形状の実施例を示す平面図
【図２１】図２０ののＸ９−Ｘ９線の縦断面図
【図２２】本発明の内、鏡面の傾斜角度を決める概念を示す誇張した正面略図
【図２３】図２２の変形例を示す正面略図
【符号の説明】
【００４９】１ａ、１ｂ、１ｃ、１ｄ、１ｅ、１ｆ  ：頭の位置調整器
２    ：反射鏡
３    ：鏡面
４    ：中心線（鏡面上の仮想中心線）
５ａ、５ｂ、５ｃ、５ｄ、５ｅ、５ｆ  ：取付部材
６ａ、６ｂ、６ｃ、６ｄ、６ｅ、５ｆ  ：保持部材
７    ：側面部（取付部材の）
８    ：拡幅部（取付部材側面の）
９    ：前面部
１０ａ、１０ｂ  ：磁石（取付用）
１１ａ、１１ｂ  ：磁着取付部
１２    ：磁着取付部
１３    ：磁着取付部
１５    ：係止部材（ストッパー）
１６    ：前面部（係止部材の係止面）
１７    ：奥行き幅（ヘッド上面の）
１７ａ    ：奥行き幅（磁着座の）
２０ａ，２０ｂ  ：水平器（水準器）
２１    ：座（水平器用）
２２    ：強磁性体（水平器用）
３０    ：傾斜板
３１    ：バネ
３２    ：基部
３４    ：ねじ孔
３５    ：押しボルト
３６    ：強磁性体（第一）
３７    ：強磁性体（第二）
３８    ：当板
４０、４０ａ  ：パター
４１、４１ａ  ：ヘッド
４２    ：シャフト
４３    ：ヘッド上面
４４    ：フェース（ヘッド前面のボールを打つ面）
４５ａ、４５ｂ、４５ｃ  ：ヘッド背面
４６    ：ヘッド底面
４７    ：ヘッド軸（スイートスポットとヘッド後部間の中心）
４８    ：スイートスポット（フェースのボールを打つ打点位置）
４９    ：ロフト角
５０    ：基準線（水平面に直立する線）
６０    ：窪み部
６１    ：段差部
６２    ：強磁性体
６３ａ、６３ｂ  ：磁着座
６４    ：背面部（磁着座の）
６５ａ、６５ｂ、６５ｃ  ：磁着受部
７０ａ、７０ｂ、７０ｃ、７０ｄ  ：パット練習具
７１    ：ライ角
７２    ：水平面（水平な地面）
７２ａ  ：基準線（水平線）
７３    ：ライン（ボールの転がる方向線）
７４    ：ボール
７５    ：アドレス（ボールを打つ時の姿勢）
７６    ：矢印
７７ａ  ：左目
７７ｂ  ：右目
８０  ：中心直立目線（両目の中心の直立目線）
８１  ：中心傾斜目線（鏡面に直交する両目の中心の傾斜目線）
８２ａ、８２ｂ  ：鏡面の縦幅
８３ａ、８３ｂ、８３ｃ、８３ｄ  ：中心傾斜目線（鏡面に直交する両目の中心の傾斜目線）
８４    ：中心傾斜目線（鏡面に直交する両目の中心の傾斜目線）
８５、８５ａ、８５ｂ、８５ｃ、８５ｄ  ：傾斜角度（所定の）
８６ａ、８６ｂ、８６ｃ  ：角度調整
８７    ：傾斜角度（一定の）
８８    ：傾斜角度調整範囲（所定の傾斜角度にする為の０度３０分以上５度以下）
【図１】
2011125678.tif 000003
【図２】
2011125678.tif 000004
【図３】
2011125678.tif 000005
【図４】
2011125678.tif 000006
【図５】
2011125678.tif 000007
【図６】
2011125678.tif 000008
【図７】
2011125678.tif 000009
【図８】
2011125678.tif 000010
【図９】
2011125678.tif 000011
【図１０】
2011125678.tif 000012
【図１１】
2011125678.tif 000013
【図１２】
2011125678.tif 000014
【図１３】
2011125678.tif 000015
【図１４】
2011125678.tif 000016
【図１５】
2011125678.tif 000017
【図１６】
2011125678.tif 000018
【図１７】
2011125678.tif 000019
【図１８】
2011125678.tif 000020
【図１９】
2011125678.tif 000021
【図２０】
2011125678.tif 000022
【図２１】
2011125678.tif 000023
【図２２】
2011125678.tif 000024
【図２３】
2011125678.tif 000025
【手続補正書】
【提出日】平成22年10月25日(2010.10.25)
【手続補正１】
【補正対象書類名】特許請求の範囲
【補正対象項目名】請求項１
【補正方法】変更
【補正の内容】
【請求項１】
パタ−のヘッド上面又はヘッド背面に取付られ、同パタ−を用いたアドレス時に、プレ−ヤ−自身の両目の位置状態を間接目視で知ることを可能とする頭の位置調整器であって、
上向き鏡面の反射鏡と前記パタ−へ磁着取付可能とする取付用の磁石を設けた取付部材とを有し、
前記反射鏡は該反射鏡の少なくとも一方の前方部を前記取付部材に装着する構成とし、
前記反射鏡の鏡面は、前記パタ−のヘッドへの取付時に、前記ヘッドのフェ−ス側となる前記一方の前方端部からヘッド背面側のもう一方の後方端部側に向かって斜め上方に傾斜し、
前記パタ−のヘッド底面を水平面に着け、前記パタ−のライ角とロフト角とを前記水平面に対し設計上の角度としたときに、
前記鏡面の前記傾斜角度は、前記水平面に対し、０度３０分以上５度以下とすることを特徴とする頭の位置調整器。